(57)【特許請求の範囲】
【請求項１】
Ｘ線を発生するＸ線管と、当該Ｘ線管に対向して設けられた検出部とが一体となって被検体の周りを回転し、当該回転運動中に、異なる投影角度で該被検体を透過したＸ線を前記検出部で検出することで投影データを収集するスキャンを行い、該被検体の断層像を再構成するＸ線ＣＴシステムであって、
集団検診を行うか否かを選択する選択手段と、
被検体の前記集団検診の対象となる特定の部位に関するサイズ情報、前記特定の部位をスキャンするための検査範囲、及び断層像に求められる画質レベルを少なくとも設定する設定手段と、
基準となる基準被検体の前記特定の部位に対する所定の投影角度における基準投影データが、複数の前記特定の部位に関するサイズ毎に保存されている保存手段と、
前記選択手段で集団検診が選択された場合、前記設定手段で設定された特定の部位に関するサイズ情報に基づいて読み出された前記基準投影データ及び前記設定手段で設定された画質レベルを用いて、前記回転運動中に前記Ｘ線管から照射するＸ線の前記被検体の体軸方向の位置におけるＸ線量の制御値を算定する算定手段と、
前記算定手段で算定された前記制御値に従ってスキャンを行わせるスキャン制御手段と
を備えることを特徴とするＸ線ＣＴシステム。
【請求項２】
前記算定手段は、前記読み出された基準投影データを、前記設定手段において設定された検査範囲に基づいて変換したうえでＸ線量の制御値の算定を行うことを特徴とする請求項１に記載のＸ線ＣＴシステム。
【請求項３】
前記保存手段は、前記基準投影データを、サイズの大きさに基づき複数の範囲に分類された前記特定の部位に関するサイズに対応して保存するものであり、
前記算定手段は、前記設定手段で設定された特定の部位に関するサイズ情報が、何れの範囲に属するかを判定し、当該判定に基づいて前記基準投影データを読み出すものであることを特徴とする請求項１または請求項２に記載のＸ線ＣＴシステム。
【請求項４】
Ｘ線を発生するＸ線管と、当該Ｘ線管に対向して設けられた検出部とが一体となって被検体の周りを回転し、当該回転運動中に、異なる投影角度で該被検体を透過したＸ線を前記検出部で検出することで投影データを収集するスキャンを行い、該被検体の断層像を再構成するＸ線ＣＴシステムであって、
集団検診を行うか否かを選択する選択手段と、
被検体の前記集団検診の対象となる特定の部位に関するサイズ情報、前記特定の部位をスキャンするための検査範囲、及び断層像に求められる画質レベルを少なくとも設定する設定手段と、
前記特定の部位における体軸方向の位置と当該位置における前記Ｘ線管から放射するＸ線のＸ線量の制御値との対応関係を記述したテーブルを、前記設定手段で設定された前記特定の部位に関するサイズおよび前記断層像に求められる画質レベル毎に保存する保存手段と、
前記選択手段で集団検診が選択された場合、前記設定手段で設定された特定の部位に関するサイズ情報および前記断層像に求められる画質レベルに対応する前記テーブルに基づく前記制御値に従ってスキャンを行わせるスキャン制御手段と
を備えることを特徴とするＸ線ＣＴシステム。
【請求項５】
前記制御値は、前記設定手段において設定された検査範囲に基づいて変換されることを特徴とする請求項４に記載のＸ線ＣＴシステム。
【請求項６】
前記保存手段は、前記テーブルを、サイズの大きさに基づき複数の範囲に分類された前記特定の部位に関するサイズに対応して保存するものであり、
前記算定手段は、前記設定手段で設定された特定の部位に関するサイズ情報が、何れの範囲に属するかを判定し、当該判定により決定されたテーブルに基づく制御値に従ってスキャンを行わせるものであることを特徴とする請求項４または請求項５に記載のＸ線ＣＴシステム。
【請求項７】
前記断層像に求められる画質レベルは、入力されたスライス厚に基づいて設定されるものであることを特徴とする請求項１から請求項６の何れか一項に記載のＸ線ＣＴシステム。
【請求項８】
前記集団検診は、肺ガン検診であり、前記特定の部位は胸部であり、前記特定の部位に関するサイズは胸部の幅であることを特徴とする請求項１から請求項７の何れか一項に記載のＸ線ＣＴシステム。
【請求項９】
前記制御値は、前記Ｘ線管に与える管電流であることを特徴とする請求項１から請求項８の何れか一項に記載のＸ線ＣＴシステム。
【発明の詳細な説明】
【０００１】
【発明の属する技術分野】
本発明はＸ線照射によって被検体の断層像を得るＸ線ＣＴシステム、操作コンソールおよびその制御方法に関するものである。
【０００２】
【従来の技術】
Ｘ線ＣＴシステムは、被検体（患者）にＸ線を照射し、臓器、血液、灰白質等の人体組織のＸ線吸収率の差を検出器により検出し、これをコンピュータ処理する（再構成する）ことによって検査部位の断層面（スライス面）の画像（断層像）を得るものである。
【０００３】
医師はＸ線ＣＴシステムによって再構成された所定の検査部位の患者の断層像に基づいて、患者の病状等を診断する。このため、再構成された断層像は、人体組織のＸ線吸収率の差を精度よく識別でき、かつ検査目的や診断目的に見合った画質を有することが必要となる。かかる画質を得るためには画像ノイズの低減が不可欠である。
【０００４】
一般にＸ線ＣＴシステムにおける画像ノイズは、均質な物質を撮影した場合のＣＴ値のばらつき（以下、Ｉｍａｇｅ  ＳＤと称す）として表現され、Ｉｍａｇｅ  ＳＤの値が小さいほど高画質の断層像となり、Ｉｍａｇｅ  ＳＤの値が大きいほど低画質な断層像となる。画像ノイズを低減し、高画質の断層像を得るためには（すなわち、Ｉｍａｇｅ  ＳＤを小さくするためには）、被検体を透過し、検出器において検出される透過Ｘ線量が大きくなければならず、検出器において十分な透過Ｘ線量を得るためには、被検体に照射するＸ線照射量が大きくなければならない。
【０００５】
しかし、画質の向上のみに主眼を置き、被検体に照射するＸ線照射量を大きくすることは、被検体の被曝線量の増加につながり、望ましくない。したがって、実際には所望の画質を確保しうる最小限のＸ線をＸ線管より照射するよう制御することが必要となる。
【０００６】
Ｘ線管より照射されるＸ線量はＸ線管に流れる電流（以下、管電流またはｍＡと称す）により制御されるが、上述のような最小限のＸ線照射を行うために各スキャン位置ごとの管電流を制御する機能としてオートｍＡ機能（自動管電流制御機能）があり、従来のＸ線ＣＴシステムにおいて標準的に装備されている。
【０００７】
従来のＸ線ＣＴシステムにおけるオートｍＡ機能は、事前に被検体ごとに所定の部位に所定のＸ線照射量で所定の投影角度からＸ線を照射し（被検体ごとにこのように事前にＸ線を照射し、所望の透視像データを採取する機能をＳｃｏｕｔ機能とよぶ）、そのときの透過Ｘ線量測定結果（透視像データ）に基づいて、Ｉｍａｇｅ  ＳＤを算出する一方、検査時の断層像に求められる画質レベル（かかる目標となる目標画質レベルをＴａｒｇｅｔ  ＳＤと呼ぶ）を設定し、Ｉｍａｇｅ  ＳＤとＴａｒｇｅｔ  ＳＤとの比に基づいて検査時の管電流を算出していた。
【０００８】
図１は従来のＸ線ＣＴシステムにおけるオートｍＡ機能の機能ブロック図を示したもので、１０１はＳｃｏｕｔ機能を用いて得られた透視像データを取得するＳｃｏｕｔ抽出部、１０２はスライス厚および検査部位に基づいてＴａｒｇｅｔＳＤを選択するＴａｒｇｅｔ  ＳＤ選択部、１０３はＳｃｏｕｔ抽出部１０１において取得された透視像データとＴａｒｇｅｔ  ＳＤ選択部１０２において選択されたＴａｒｇｅｔ  ＳＤとに基づいて管電流を算出する管電流算出部、１０４は管電流算出部１０３において算出された管電流に従ってスキャンを行わせるスキャン制御部である。
【０００９】
図２は管電流算出部１０３により算出された各スキャン位置毎の管電流を示す図である。２０１は横軸にＺ軸方向（横体した被検体の体軸方向）の各スキャン位置における管電流を示す。このように、オートｍＡ機能は所望の画質を確保しうる最小限の管電流をＺ軸方向の各スキャン位置ごとに算出することができる。
【００１０】
【発明が解決しようとする課題】
しかし、従来のオートｍＡ機能は、管電流の算出にあたり、必ずＳｃｏｕｔ機能を用いて被検体ごとに透視像データの採取を行わなければならない。
【００１１】
一方、肺ガン検診などの集団検診のように、短時間に多数の検査を行う場合には、検査時間の短縮のため被検体ごとにＳｃｏｕｔ機能を使用して透視像データを抽出するといった作業は省かざるを得ない。このためオートｍＡ機能も使用できず、検査にあたっては、検査部位のＺ軸方向の位置の中で、Ｘ線透過率のもっとも低い位置にあわせて管電流を固定することで対応していた（図２の２０２は、管電流を固定した場合の一例である）。この結果、オートｍＡ機能を使用した場合に比べて、被検体へのＸ線照射量が増え、被検体の被曝線量が増加することとなっていた。
【００１２】
本発明は、上記課題を解決するためになされたもので、肺ガン検診などの集団検診においてＳｃｏｕｔ機能が使用できない場合でも、オートｍＡ機能を使用でき被検体の被曝線量を低減することが可能なＸ線ＣＴシステムを提供することを目的とする。
【００１３】
【課題を解決するための手段】
かかる課題を解決するため、例えば本発明のＸ線ＣＴシステムは以下の構成を備える。すなわち、
Ｘ線を発生するＸ線管と、当該Ｘ線管に対向して設けられた検出部とが一体となって被検体の周りを回転し、当該回転運動中に、異なる投影角度で該被検体を透過したＸ線を前記検出部で検出することで投影データを収集するスキャンを行い、該被検体の断層像を再構成するＸ線ＣＴシステムであって、
集団検診を行うか否かを選択する選択手段と、
少なくとも被検体の特定の部位におけるサイズ情報および検査範囲とを設定する設定手段と、
基準となる基準被検体に対する所定の投影角度における基準投影データを、前記設定手段で設定された前記特定の部位におけるサイズ毎に保存する保存手段と、
前記選択手段で集団検診が選択された場合、前記設定手段で設定された特定の部位におけるサイズ情報に基づいて読み出された前記基準投影データを用いて、前記回転運動中に前記Ｘ線管から照射するＸ線の各スキャン位置におけるＸ線量の制御値を算定する算定手段と、
前記算定手段で算定された前記制御値に従ってスキャンを行わせるスキャン制御手段とを備える。
【００１４】
また、上記課題を解決するための本発明のＸ線ＣＴシステムは以下の構成を備える。すなわち、
Ｘ線を発生するＸ線管と、当該Ｘ線管に対向して設けられた検出部とが一体となって被検体の周りを回転し、当該回転運動中に、異なる投影角度で該被検体を透過したＸ線を前記検出部で検出することで投影データを収集するスキャンを行い、該被検体の断層像を再構成するＸ線ＣＴシステムであって、
集団検診を行うか否かを選択する選択手段と、
少なくとも被検体の特定の部位におけるサイズ情報および検査範囲とスライス厚とを設定する設定手段と、
各スキャン位置と当該スキャン位置における前記Ｘ線管から放射するＸ線のＸ線量の制御値との対応関係を記述したテーブルを、前記設定手段で設定された前記特定の部位におけるサイズおよび前記スライス厚毎に保存する保存手段と、
前記選択手段で集団検診が選択された場合、前記設定手段で設定された特定の部位におけるサイズおよびスライス厚に対応する前記テーブルに基づく前記制御値に従ってスキャンを行わせるスキャン制御手段とを備える。
【００１５】
【発明の実施の形態】
以下、添付図面に従って本発明にかかる実施形態を詳細に説明する。
【００１６】
本発明の第１の実施形態にかかるＸ線ＣＴシステムについて、詳細を説明するにあたり、該Ｘ線ＣＴシステムが有するＳｃｏｕｔ機能とオートｍＡ機能について説明し、該オートｍＡ機能に基づいて算出された胸部の管電流の特徴を説明する。
【００１７】
１．Ｓｃｏｕｔ機能
Ｓｃｏｕｔ機能とは、オートｍＡ機能においてＺ軸方向（横体した被検体の体軸方向）の各スキャン位置ごとの最適な管電流を算出するにあたり必要な透視像データを事前に被検体ごとに採取する機能をいい、機能の概略を図３および図４を用いて以下に説明する。
【００１８】
図３において、３０１は天板（以下、クレードルと称す）３０４に載置された被検体３０３にＸ線を照射するＸ線管を示し、３０２はＸ線管３０１より照射され、被検体３０３を透過したＸ線を検出する検出器で、Ｘ線管３０１に対向して設けられている。Ｘ線管３０１および検出器３０２は、被検体３０３に対して相対的に３０１ａおよび３０２ａの矢印に示す方向に直線移動することが可能である。３０１ａ、３０２ａの矢印に示す方向と平行な方向（すなわち被検体３０３の体軸方向）をＺ軸方向とよび、３０６に示す。
【００１９】
かかる構成のもと、所定の管電流をＸ線管３０１に流すことで、被検体３０３に対して図３に示すように投影角度０度（被検体３０３の真上）を維持したまま所定のＸ線量のＸ線を照射し、そのときの透過Ｘ線量をＺ軸方向の検査部位にわたり検出する。３０５はこのときの透過Ｘ線量を示すもので、横軸にＺ軸方向位置を、縦軸に透過Ｘ線量をとった場合の、被検体３０３における胸部の透過Ｘ線量分布を示す。Ｓ０−１、Ｓ０−２、Ｓ０−３、・・・はＺ軸方向位置を示し、検査時のスライス面の位置に等しい。
【００２０】
以上より、被検体３０３の投影角度０度の透過Ｘ線量を検査部位にわたり求めることが可能となる（以下、かかる透視像データをＳｃｏｕｔ結果（０度）と称す）。
【００２１】
次にＸ線管３０１および検出器３０２を９０度回転させ、投影角度０度の場合と同様に所定の管電流をＸ線管に流すことで、被検体に対して投影角度９０度（被検体３０３の側面）から所定のＸ線量のＸ線を照射し、そのときの透過Ｘ線量をＺ軸方向の検査部位にわたり検出する。図４において４０５は、Ｘ線管３０１および検出器３０２を９０度回転させ、被検体３０３の側面から胸部にＸ線を照射した場合の透過Ｘ線量分布を示す。Ｓ９０−１、Ｓ９０−２、Ｓ９０−３、・・・はＺ軸方向位置を示し、検査時のスライス面の位置に等しい。なお、図４において図３と同じ番号が付されたものは、同じものを指すため説明は省略する。
【００２２】
以上より、被検体３０３の投影角度９０度の透過Ｘ線量を検査部位にわたり求めることが可能となる（以下、かかる透視像データをＳｃｏｕｔ結果（９０度）と称す）。
【００２３】
このように、検査を行う前に事前にＳｃｏｕｔ機能を用いて、所定の投影角度から所定のＸ線を照射し、そのときの透過Ｘ線量を検出することで、被検体毎・検査部位ごとに異なるＳｃｏｕｔ結果（０度）とＳｃｏｕｔ結果（９０度）とを求めることができる。なお、かかるスキャンをスカウトスキャンを呼ぶ。
【００２４】
２．オートｍＡ機能
オートｍＡ機能とは、Ｘ線照射量の最適化により、被検体の被爆線量を軽減することを目的とした機能である。
【００２５】
オートｍＡ機能は、上述のＳｃｏｕｔ機能により求められたＳｃｏｕｔ結果（０度）およびＳｃｏｕｔ結果（９０度）とに基づいてＩｍａｇｅ  ＳＤを算出する一方、目標画質レベル（Ｔａｒｇｅｔ  ＳＤ）を設定し、Ｉｍａｇｅ  ＳＤとＴａｒｇｅｔ  ＳＤとの比に基づいて、Ｚ軸方向の各スライス面における必要な管電流をもとめる。以下にそのオートｍＡ機能の基本原理を詳説する。
【００２６】
２−１  投影下面積の算出
（１）透過Ｘ線量の基本式
被検体３０３の厚みをｘ、被検体３０３のＸ線吸収係数をμ、Ｘ線管３０１から照射されるＸ線照射量をＩ０、被検体３０３を透過したＸ線量（透過Ｘ線量）をＩとした場合、Ｉ０とＩとは一般的に以下の関係式で表すことができる。
【００２７】
【数１】
0004763177.tif 000002
【００２８】
（２）投影下面積の算出
Ｓｃｏｕｔ結果（０度）に基づいて、検出器３０２の各チャンネル毎に上式１に示す“−ｌｎ（Ｉ／Ｉ０）”を算出すると図５のようになる。図５（Ａ）において、３０３’はＺ軸方向位置（例えばＳ０−１）での被検体３０３の断面を示し、図５（Ｂ）は、該断面３０３’を透過した透過Ｘ線量をＩ、Ｘ線管３０１より照射されたＸ線照射量をＩ０とした場合の上式１の右辺を縦軸に、横軸に検出器３０２の各チャンネルをとったものである。５０１は検出器３０２の各チャンネルごとの“−ｌｎ（Ｉ／Ｉ０）”を積分したもので、投影下面積（０度）とよび、下式で表すことができる。
【００２９】
【数２】
0004763177.tif 000003
ここで、ｐｒｏｊ０ｄｅｇ  ｉとはＳｃｏｕｔ結果（０度）に基づいて、検出器４０２のｉ番目のチャンネルの“−ｌｎ（Ｉ／Ｉ０）”を示す。
【００３０】
同様に、式３は被検体に対して側面（９０度方向）からＸ線を照射した場合の投影下面積（９０度）を表す。
【００３１】
【数３】
0004763177.tif 000004
【００３２】
なお、上記投影下面積（０度）および投影下面積（９０度）は、Ｓｃｏｕｔ結果（０度）およびＳｃｏｕｔ結果（９０度）に基づいて、Ｚ軸方向の各スキャン位置毎に算出することができる。
【００３３】
２−２  長軸・短軸比の算出
Ｓｃｏｕｔ結果（０度）に基づいて、検出器３０２の中央１００チャンネルでの上式１に示す“−ｌｎ（Ｉ／Ｉ０）”を算出すると図６（Ｂ）のようになる。なお、図６（Ａ）において、３０３’はＺ軸方向位置（例えばＳ０−１）での被検体３０３の断面を示し、図６（Ｂ）は、該断面３０３’を透過した透過Ｘ線量をＩ、Ｘ線管３０１より照射されたＸ線照射量をＩ０とした場合の式１の右辺を縦軸に、横軸に検出器３０２の各チャンネルをとったものである。
【００３４】
このとき、矢印で示した領域は検出器３０２の中央１００チャンネルに対応する“−ｌｎ（Ｉ／Ｉ０）”であり、該領域を投影下中央面積（０度）と呼ぶ。投影下中央面積（０度）を求める式を式４に示す。
【００３５】
【数４】
0004763177.tif 000005
【００３６】
同様に、Ｓｃｏｕｔ結果（９０度）に基づいて、検出器３０２の中央１００チャンネルでの上記“−ｌｎ（Ｉ／Ｉ０）”を算出すると図６（Ｃ）のようになる。なお、図６（Ａ）において、３０３’はＺ軸方向位置Ｓ９０−１での被検体３０３の断面を示し、図６（Ｃ）は、該断面３０３’を透過した透過Ｘ線量をＩ、Ｘ線管３０１より照射されたＸ線照射量をＩ０とした場合の式１の右辺を横軸に、縦軸に検出器３０２の各チャンネルをとったものである。
【００３７】
このとき、矢印で示した領域は検出器３０２の中央１００チャンネルに対応する“−ｌｎ（Ｉ／Ｉ０）”であり、該領域を投影下中央面積（９０度）と呼ぶ。投影下中央面積（９０度）を求める式を式５に示す。
【００３８】
【数５】
0004763177.tif 000006
【００３９】
上式４と、上式５との比を長軸・短軸比と呼び、下式６で表すことができる。
【００４０】
【数６】
0004763177.tif 000007
【００４１】
２−３  投影下面積とＩｍａｇｅ  ＳＤとの一般的な関係
Ｉｍａｇｅ  ＳＤとは、被検体４０３を撮影した場合のＣＴ値のばらつきをいい、投影下面積とは図７のような関係を有する。
【００４２】
図７は一定管電流のもと、投影下面積を変化させた場合のＩｍａｇｅ  ＳＤの変化を実験的にもとめ、プロットしたものである。図７より、Ｉｍａｇｅ  ＳＤは投影下面積を用いて下式７に示す２次式で近似することができる。
【００４３】
【数７】
0004763177.tif 000008
なお、α、β、γは所定の定数である。また、投影下面積は投影下面積（０度）でも、投影下面積（９０度）でも、どちらでも同等の結果が得られる。
【００４４】
２−４  長軸・短軸比とＩｍａｇｅ  ＳＤとの関係
長軸・短軸比が１．０のときのＩｍａｇｅ  ＳＤをもとめ、このときの値を１．０とした場合のＩｍａｇｅ  ＳＤに対する比をＳＤ  ｒａｔｉｏとすると、投影下面積を一定に保ちつつ、長軸・短軸比を変化させた場合、長軸・短軸比とＳＤ  ｒａｔｉｏとは図８のような関係を有する。
【００４５】
図８は横軸に（長軸・短軸比）２を、縦軸にＳＤ  ｒａｔｉｏをとったものである。したがって、ＳＤ  ｒａｔｉｏは上式８に示す１次式で近似することができる。
【００４６】
【数８】
0004763177.tif 000009
なお、Ａ、Ｂは所定の定数である。
【００４７】
上記２−１から２−４より、Ｉｍａｇｅ  ＳＤは投影下面積の増加に伴って大きくなり、同一投影下面積であっても、長軸・短軸比が大きくなれば、それにともなって大きくなることが明らかになった。かかる関係を表したものが下式９である。
【００４８】
【数９】
0004763177.tif 000010
【００４９】
２−５  Ｉｍａｇｅ  ＳＤと管電流との関係
上記より、Ｓｃｏｕｔ結果（０度）とＳｃｏｕｔ結果（９０度）を用いて、Ｉｍａｇｅ  ＳＤを算出することができることを示した。したがって、所定の管電流を流したときのＩｍａｇｅ  ＳＤを予め求めておけば、Ｔａｒｇｅｔ  ＳＤとの比から該Ｔａｒｇｅｔ  ＳＤを得るために必要な管電流ｍＡを下式１０より算出することができる。
【００５０】
【数１０】
0004763177.tif 000011
ここで、ｍＡｓreferenceとは、Ｓｃｏｕｔ結果（０度）およびＳｃｏｕｔ結果（９０度）の測定の際に、Ｘ線管３０１に流した所定の管電流をいう。また、スキャン時間とは、検査時にガントリ回転部に配されたＸ線管３０１と検出器３０２が被検体３０３の周囲を相対的にらせん運動する場合に、１回転するのに要する時間をいう。
【００５１】
以上より、Ｔａｒｇｅｔ  ＳＤと、Ｓｃｏｕｔ機能により求めた透視像データ（Ｓｃｏｕｔ結果（０度）およびＳｃｏｕｔ結果（９０度））とに基づいて、Ｚ軸方向の各スキャン位置における必要な管電流をもとめることが可能となることが明らかになった。
【００５２】
３．オートｍＡ機能に基づく胸部の管電流の特徴
上述のオートｍＡ機能により被検体胸部のＺ軸方向の各スキャン位置における必要な管電流を求めた一例を図１６（Ａ）乃至（Ｃ）に示す。
【００５３】
図１６（Ａ）乃至（Ｃ）は横軸にＺ軸方向位置を、縦軸にオートｍＡ機能により算出された管電流をとった場合の図である。また、図１６（Ａ）は被検体の胸部の幅が２９ｃｍ以下の場合のデータで、図１６（Ｂ）は被検体の胸部の幅が２９ｃｍより大きく、３３ｃｍ以下の場合のデータで、図１６（Ｃ）は被検体の胸部の幅が３３ｃｍより大きい場合のデータである。
【００５４】
図１６（Ａ）乃至（Ｃ）より、管電流は肺尖部において高く、中肺野で低く、肺底部でまた高くなるというＵ字型の曲線を描くという特徴を有していることがわかる。また、被検体の胸部の幅に応じて、かかるＵ字型の曲線が全体に上下し、被検体の胸部の幅が小さいほど全体として管電流が低くなり、被検体の胸部の幅が大きくなるにつれて全体として管電流が高くなる。さらに、図１６のように被検体の胸部の幅を３段階（２９ｃｍ以下の場合、２９ｃｍより大きく３３ｃｍ以下の場合、３３ｃｍより大きい場合）にわけることで、それぞれの段階毎に管電流のＵ字型の曲線をほぼ一意に定めることができる。
【００５５】
４．本発明の第１の実施形態の説明
４−１  全体システム構成
上記Ｓｃｏｕｔ機能およびオートｍＡ機能を有し、オートｍＡ機能に基づく胸部の管電流の特徴をいかした本発明の第１の実施形態にかかるＸ線ＣＴシステムについて以下に述べる。
【００５６】
図９は、本発明の第１の実施形態にかかるＸ線ＣＴシステムのシステム構成図である。
【００５７】
図９に図示の如く、システムは、被検体（患者）へのＸ線照射と載置された被検体を透過したＸ線を検出するためのガントリ装置９２０と、ガントリ装置９２０に対して各種設定を行うとともに、ガントリ装置９２０から出力されてきたデータに基づいて断層像を再構成し、表示する操作コンソール９００、および被検体を載置し、ガントリ装置内部へ搬送する搬送装置９４０とにより構成されている。
【００５８】
９２０に示すガントリ装置は、その全体の制御を司るメインコントローラ９２２を始め以下の構成を備える。
【００５９】
９２１は操作コンソール９００との通信を行うためのインターフェース、９３２はガントリ回転部であり、内部には、Ｘ線管９２４（Ｘ線管コントローラ９２３により駆動制御される）、Ｘ線の照射範囲を規定するコリメータ９２７、コリメータ９２７のＸ線照射範囲を規定するスリット幅の調整、及びコリメータ９２７のＺ軸（図面に垂直な方向）の位置を調整するコリメータモータ９２６が設けられている。かかるコリメータモータ９２６の駆動はコリメータコントローラ９２５により制御される。
【００６０】
また、９３２に示すガントリ回転部には、被検体を透過したＸ線を検出する検出部９３１、及び検出部９３１より得られた投影データを収集するデータ収集部９３０も備える。Ｘ線管９２４及びコリメータ９２７と、検出部９３１とは互いに空洞部分９３３をはさんで対向する位置に設けられ、その関係が維持された状態でガントリ回転部９３２が回転するようになっている。この回転は、モータコントローラ９２８からの駆動信号により所定の制御周期で回転速度制御される回転モータ９２９によって行われる。
【００６１】
メインコントローラ９２２は、Ｉ／Ｆ９２１を介して受信した各種コマンドの解析を行い、それに基づいて上記のＸ線管コントローラ９２３、コリメータコントローラ９２５、モータコントローラ９２８、データ収集部９３０に対し、各種制御信号を出力することになる。また、メインコントローラ９２２は、データ収集部９３０で収集された投影データを、Ｉ／Ｆ９２１を介して操作コンソール９００に送出する処理も行う。
【００６２】
操作コンソール９００は、所謂ワークステーションであり、図示に示す如く、装置全体の制御を司るＣＰＵ９０５、ブートプログラム等を記憶しているＲＯＭ９０６、主記憶装置として機能するＲＡＭ９０７をはじめ、以下の構成を備える。
【００６３】
ＨＤＤ９０８は、ハードディスク装置であって、ここにＯＳ、ガントリ装置９２０に各種指示を与えたり、ガントリ装置９２０より受信した投影データに基づいて断層像を再構成するための診断プログラムが格納されている。また、ガントリ９２０より受信した基準透視像データ（後述）やＴａｒｇｅｔ  ＳＤの一覧表（後述）もＨＤＤ９０８に格納されている。
【００６４】
ＶＲＡＭ９０１は表示しようとするイメージデータを展開するメモリであり、ここにイメージデータ等を展開することでＣＲＴ９０２に表示させることができる。９０３および９０４は各種設定を行うためのキーボードとマウスであり、操作者はＣＲＴ９０２に表示される各種設定画面（Ｓｃｏｕｔ機能やオートｍＡ機能を実行する上で必要な各種設定を入力する画面等）を見ながらキーボード９０３およびマウス９０４を用いて設定を行う。また、９０９はガントリ装置９２０と通信を行うためのインターフェースである。
【００６５】
４−２  各種設定入力画面
図１７はＳｃｏｕｔ機能を実行するうえで必要な各種設定（以下、スカウトスキャン設定と称す）を入力するためのスカウトスキャン設定画面１７０１の一例である。図示のように、所定の基準位置に対するスカウトスキャンの検査部位１７０２、開始位置１７０３、終了位置１７０４、スライス厚１７０５を設定できるようになっている。かかる設定を完了後、スカウトスキャン実行のスタートボタン１７０７を押して、基準となる基準被検体に対してガントリ装置９２０にスカウトスキャンを実行させる。
【００６６】
なお、基準被検体とは、肺ガン検診を行う前に、事前にＳｃｏｕｔ結果（０度）およびＳｃｏｕｔ結果（９０度）の蓄積を目的として検査を行った被検体をいいう。
【００６７】
基準被検体に対するスカウトスキャンにより取得された基準となる基準透視像データは操作コンソール９００に転送され、操作者の指示により保存処理される。保存は保存ボタン１７０８を押すことでＨＤＤ９０８に対して行われるが、このとき操作者は予め被検体の胸部の幅を巻き尺等を用いて測定し、該測定結果を「胸部の幅」入力欄１７０６に入力しておく。「胸部の幅」入力欄１７０６に入力された値に基づいて分類して基準透視像データが保存される。なお、基準透視像データの保存に際してはスカウトスキャン設定の開始位置１７０３と終了位置１７０４も合わせて保存され、基準被検体の胸部体軸方向長さを求めることができるようになっている。
【００６８】
図１８はオートｍＡ機能を実行する上で必要な各種設定（以下、スキャン計画と称す）を入力するためのスキャン計画画面１８０１の一例である。「検査部位」欄１８０２は被検体の検査部位を指定する欄である。「開始位置」欄１８０３は、所定の基準位置に対するスキャンの開始位置を入力する欄、同様に、「終了位置」欄１８０４は所定の基準位置に対するスキャンの終了位置を入力する欄である。「スライス厚」欄１８０５は、スキャンにおけるスライス厚を入力する欄である。「胸部の幅」欄１８０６は、オートｍＡのモード選択において、後述する肺ガン検診モードを選択した場合に入力が必要となる欄で、スキャン開始前に事前に被検体毎の胸部の幅を巻き尺等を用いて測定し、該測定結果を入力しておく。
【００６９】
１８０７および１８０８はオートｍＡのモードを選択するボタンであり、被検体の検査目的に対応して設けられている。スキャン計画画面１８０１の例では、肺ガン検診に対応したモードとそれ以外の通常の検査に対応したモードとを設けたが、他の集団検診に対応したモードを設けてもよい。また、オートｍＡ機能（通常モード１８０７または肺ガン検診モード１８０８）を使用しない場合には、ＯＦＦボタン１８０９を選択する。
【００７０】
オートｍＡモード選択ボタンにおいて、通常モード１８０７または肺ガン検診モード１８０８が選択された場合、ｍＡグラフボタン１８１０を選択することで、各モードにおいて算出された管電流がグラフ表示欄１８１１に表示される。なお、グラフ表示欄１８１４に表示されるグラフは、横軸にＺ軸方向位置を、縦軸に算出された管電流をとったグラフである。
【００７１】
４−３  機能ブロック
図１０は、本発明の第１の実施形態にかかるＸ線ＣＴシステムのＣＰＵ９０５において処理されるプログラムの機能ブロック図である。１００１はＳｃｏｕｔ抽出部で、上述した透視像データまたは基準透視像データを得るためのスカウトスキャンをメインコントローラ９２２にＩ／Ｆ９０９および９２１を介して指示し、管電流算出のための透視像データまたは基準透視像データをメインコントローラ９２２よりＩ／Ｆ９０９および９２１を介して受け取る。１００２はＳｃｏｕｔ結果保存部で、Ｓｃｏｕｔ結果（０度）およびＳｃｏｕｔ結果（９０度）を保存部１００４に保存する（保存部１００４のハードウエアは、たとえば図９のＨＤＤ９０８等を指す）。保存に際しては、スカウトスキャン設定画面１７０１で設定された基準被検体の胸部の幅ごとに分類して保存するものとする。
【００７２】
１００３はＳｃｏｕｔ結果選択・読み出し部で、肺ガン検診モード１８０８の際、保存部１００４に保存されたＳｃｏｕｔ結果（０度）とＳｃｏｕｔ結果（９０度）のうち、肺ガン検診を行う被検体の胸部の幅１８０６に該当するものを読み出し、管電流算出部１００６に送信する。
【００７３】
１００５はスライス厚、検査部位に応じて、Ｔａｒｇｅｔ  ＳＤを選択するＴａｒｇｅｔ  ＳＤ選択部を示す。１００６は管電流算出部で、肺ガン検診モードでないときは、Ｓｃｏｕｔ抽出部１００１が抽出したＳｃｏｕｔ結果（０度）およびＳｃｏｕｔ結果（９０度）と、１００５で選択されたＴａｇｅｔ  ＳＤとに基づいてＺ軸方向各位置での最適な管電流を求め、肺ガン検診モードのときは、１００３より送信されたＳｃｏｕｔ結果（０度）とＳｃｏｕｔ結果（９０度）と、１００５で選択されたＴａｒｇｅｔ  ＳＤとに基づいて、Ｚ軸方向各スキャン位置での最適な管電流を求める。
【００７４】
１００７はスキャン制御部で、管電流算出部１００６により算出された管電流に従ってガントリ装置９２０にスキャンを行わせるスキャン制御部である。
【００７５】
４−４  Ｓｃｏｕｔ結果選択・読み出し部
図１３はＳｃｏｕｔ結果選択・読み出し部１００３の処理を示すフローチャートであり、本処理はＣＰＵ９０５において実行される。
【００７６】
ステップＳ１３０１では、スキャン計画画面１８０１において肺ガン検診モード１８０８が選択されたか否かを監視し、肺ガン検診モード１８０８が選択されたら、ステップＳ１３０２に進み、肺ガン検診を行う被検体の胸部の幅１８０６の入力があったか否かを確認する。肺ガン検診を行う被検体の胸部の幅１８０６の入力がない場合には処理を終了する。
【００７７】
一方、胸部の幅の入力があった場合には、ステップＳ１３０３にすすみ、胸部の幅が２９ｃｍ以下であるか否かを確認する。胸部の幅が２９ｃｍ以下であった場合には、ステップＳ１３０５に進み、保存部１００４に保存されているＳｃｏｕｔ結果（０度）およびＳｃｏｕｔ結果（９０度）のうち、胸部の幅が２９ｃｍ以下として保存されているもの（以下、これをＳｍａｌｌファイルと称す）を選択し、ステップＳ１３０８で、該Ｓｍａｌｌファイルを被検体体軸方向の長さに変換し、ステップＳ１３０９で管電流算出部１００６に送信する。
【００７８】
一方、ステップＳ１３０３で胸部の幅が２９ｃｍ以下でなかった場合には、ステップＳ１３０４に進み、胸部の幅が３３ｃｍ以下であるか否かを確認する。胸部の幅が３３ｃｍ以下であった場合には、ステップＳ１３０６に進み、保存部１００４に保存されているＳｃｏｕｔ結果（０度）およびＳｃｏｕｔ結果（９０度）のうち、胸部の幅が２９ｃｍより大きく、３３ｃｍ以下のもの（以下、これをＭｅｄｉｕｍファイルと称す）を選択し、ステップＳ１３０８で、該Ｍｅｄｉｕｍファイルを被検体体軸方向の長さに変換し、ステップＳ１３０９で管電流算出部１００６に送信する。
【００７９】
一方、ステップＳ１３０４で胸部の幅が３３ｃｍ以下でなかった場合には、ステップＳ１３０７に進み、保存部１００４に保存されているＳｃｏｕｔ結果（０度）およびＳｃｏｕｔ結果（９０度）のうち、胸部の幅が３３ｃｍより大きいもの（以下、これをＬａｒｇｅファイルと称す）を選択し、ステップＳ１３０８で、該Ｌａｒｇｅファイルを被検体体軸方向の長さに変換し、ステップＳ１３０９で管電流算出部１００６に送信する。
【００８０】
なお、ステップＳ１３０８における被検体体軸方向の長さへの変換とは、Ｓｃｏｕｔ抽出部で基準透視像データ（Ｓｃｏｕｔ結果（０度）およびＳｃｏｕｔ結果（９０度））を得るためのスカウトスキャンを行い基準透視像データを抽出した際の被検体の胸部長さ（胸部の体軸方向長さをいい、スカウトスキャン設定画面１７０１の開始位置１７０３と終了位置１７０４により定義される検査範囲に基づいて算出される）と、実際の肺ガン検診を行う被検体の胸部長さ（スキャン計画画面１８０１の開始位置１８０３と終了位置１８０４により定義される検査範囲に基づいて算出される）とが大きく異なる場合に、肺ガン検診を行う被検体の胸部長さに合うように読み出された基準透視像データを変換することをいう。かかる変換により、胸部の幅が同程度で体軸方向長さが大きく異なる被検体を検査する場合でも、Ｚ軸方向に適切な管電流を設定することが可能となる。
【００８１】
４−５  管電流算出部
図１１は管電流算出部１００３の機能をさらに詳細に示した図である。１１０１はＳｃｏｕｔ結果（０度）読み込み部で、肺ガン検診モードでないときはＳｃｏｕｔ抽出部１００１で被検体ごとに抽出された透視像データのうち、Ｓｃｏｕｔ結果（０度）を読み込み、肺ガン検診モードのときには、Ｓｃｏｕｔ結果選択・読み出し部１００３より送信された基準透視像データのうち、Ｓｃｏｕｔ結果（０度）を読み込む。Ｓｃｏｕｔ結果（０度）読み込み部１１０１により読み込まれたＳｃｏｕｔ結果（０度）は投影下面積算出部１１０２に送られ、上述の式２に基づいて投影下面積（０度）が算出される。
【００８２】
また、Ｓｃｏｕｔ結果（０度）読み込み部１１０１で読み込まれたＳｃｏｕｔ結果（０度）のうち、中央１００チャンネルのデータは長軸・短軸比算出部１１０５に送られ、上述の式４に基づいて投影下中央面積（０度）が算出される。
【００８３】
１１０４はＳｃｏｕｔ結果（９０度）読み込み部で、肺ガン検診モードでないときはＳｃｏｕｔ抽出部１００１で被検体ごとに抽出された透視像データのうち、Ｓｃｏｕｔ結果（９０度）を読み込み、肺ガン検診モードのときには、Ｓｃｏｕｔ結果選択・読み出し部１００３より送信された基準透視像データのうち、Ｓｃｏｕｔ結果（９０度）を読み込む。Ｓｃｏｕｔ結果（９０度）読み込み部１１０４で読み込まれたＳｃｏｕｔ結果（９０度）のうち、中央１００チャンネルのデータは長軸・短軸比算出部１１０５に送られ、上述の式５に基づいて投影下中央面積（９０度）が算出される。さらに、上述の投影下中央面積（０度）と投影下中央面積（９０度）より、式６を用いて長軸・短軸比が算出される。
【００８４】
１１０３は、投影下面積算出部１１０２において算出された投影下面積と、長軸・短軸比算出部１１０５において算出された長軸・短軸比とに基づいて、式９を用いてＩｍａｇｅ  ＳＤを求める。
【００８５】
１１０６はＴａｒｇｅｔ  ＳＤ選択部１００２で選択されたＴａｒｇｅｔ  ＳＤを読み込むためのＴａｒｇｅｔ  ＳＤ読み込み部で、Ｔａｒｇｅｔ  ＳＤ読み込み部１１０６において読み込まれたＴａｒｇｅｔ  ＳＤは管電流計算部１１０７に送られる。
【００８６】
管電流計算部１１０７では、Ｉｍａｇｅ  ＳＤ算出部１１０３で算出されたＩｍａｇｅ  ＳＤと、Ｔａｒｇｅｔ  ＳＤ読み込み部により読み込まれたＴａｒｇｅｔ  ＳＤ、ならびにスライス厚、ｍＡｓreferenceとに基づいて、上述の式１０を用いて管電流を算出する。なお、該管電流はＺ軸方向の各位置ごとに算出する。
【００８７】
４−６  Ｔａｒｇｅｔ  ＳＤ選択部
図１２は、本発明の第１の実施形態にかかるＸ線ＣＴシステムにおけるＴａｒｇｅｔ  ＳＤの一覧表を示す図である。
【００８８】
１２０１は検査部位を、１２０２はスライス厚を示す。また、１２０３は各検査部位１２０１、スライス厚１２０２に対応したＴａｒｇｅｔ  ＳＤを示す。検査部位ごとにＴａｒｇｅｔ  ＳＤを変えているのは、検査部位ごとに人体組織のＸ線吸収率の差が異なるためであり、また、スライス厚ごとにＴａｒｇｅｔ  ＳＤを変えているのは、スライス厚が大きいと再構成される断層像の周辺部のコントラストが小さくなる傾向があるためである。
【００８９】
その結果、例えば、スキャン計画画面１８０１の「検査部位」入力欄１８０２に「胸部」と設定され、「スライス厚」入力欄１８０５に１０ｍｍと設定された場合のＴａｒｇｅｔ  ＳＤは、５．４となる。
【００９０】
以上の説明で明らかなように、オートｍＡ機能に基づく胸部の管電流の特徴を利用した肺ガン検診の場合、Ｓｃｏｕｔ機能を用いなくても、Ｓｃｏｕｔ結果保存部１１０３を用いて基準被検体の胸部の幅ごとに予め保存されたＳｃｏｕｔ結果（０度）およびＳｃｏｕｔ結果（９０度）を用いることで、オートｍＡ機能を使用することが可能となり、肺ガン検診を行う被検体の被曝線量の低減を実現できる。
【００９１】
なお、上記実施の形態においては、オートｍＡ機能に基づく胸部の管電流の特徴を利用して、肺ガン検診を行う被検体の被曝線量を低減することとしたが、Ｔａｒｇｅｔ  ＳＤを変更すれば（すなわち、Ｔａｒｇｅｔ  ＳＤを胸部の肺ガン検診に適した値ではなく、他の検診目的に適した値に設定すれば）、胸部の他の検診目的の場合でも、同様に利用することができることは明らかである。
【００９２】
５．本発明の第２の実施形態の説明
上記第１の実施形態においては、Ｓｃｏｕｔ結果保存部１００２を用いて予めＳｃｏｕｔ結果（０度）およびＳｃｏｕｔ結果（９０度）を基準被検体の胸部の幅ごとに保存することとしたが、管電流の算出結果を直接保存してもよい。以下、第２の実施形態については第１の実施形態と異なる部分を中心に説明する。
【００９３】
図１４において、１４０１はＳｃｏｕｔ抽出部で透視像データまたは基準透視像データを得るためのスカウトスキャンをメインコントローラ９２２のＩ／Ｆ９０９および９２１を介して指示し、管電流算出のための透視像データまたは基準透視像データをメインコントローラ９２２よりＩ／Ｆ９０９および９２１を介して受け取る。
【００９４】
１４０３はスライス厚、検査部位に応じて、Ｔａｒｇｅｔ  ＳＤを選択するＴａｒｇｅｔ  ＳＤ選択部を示す。１４０２は管電流算出部で、１４０１より送信されたＳｃｏｕｔ結果（０度）およびＳｃｏｕｔ結果（９０度）と、１４０３で選択されたＴａｒｇｅｔ  ＳＤとに基づいて、基準被検体に対するＺ軸方向各スキャン位置での最適な管電流を求める。
【００９５】
１４０４は管電流算出部１４０２で算出されたＺ軸方向各スキャン位置と当該スキャン位置における管電流との対応関係を記述したテーブルを保存部１４０５に保存する管電流算出結果保存部である。なお、保存に際しては、基準被検体の胸部の幅およびＴａｒｇｅｔ  ＳＤごとに分類して保存される。すなわち上記テーブルは基準被検体の胸部の幅およびスライス厚の区分の数だけ存在することとなる。
【００９６】
１４０６は肺ガン検診モードの際、保存部１４０５に保存された管電流算出結果のうち、肺ガン検診を行う被検体の胸部の幅に該当するものを読み出す管電流算出結果選択・読み出し部である。１４０７は、スキャン制御部で、肺ガン検診モードでないときは、管電流算出部１４０２により被検体ごとに算出された管電流に従ってガントリ装置９２０にスキャンを行わせ、肺ガン検診モードのときは、管電流算出結果選択・読み出し部１４０６より送信された管電流に従ってガントリ装置９２０にスキャンを行わせる。
【００９７】
図１５は管電流算出結果選択・読み出し部１４０６の処理を示すフローチャートである。
【００９８】
ステップＳ１５０１では、スキャン計画画面１８０１において肺ガン検診モード１８０８が選択されたか否かを監視し、肺ガン検診モード１８０８が選択されたら、ステップＳ１５０２に進み、検査部位１８０２、スライス厚１８０５に対応したＴａｒｇｅｔ  ＳＤを読み込む。ステップＳ１５０３ではステップＳ１５０２で読み込まれたＴａｒｇｅｔ  ＳＤに該当する複数のテーブルを保存部１４０５より読み出す。
【００９９】
次にステップＳ１５０４では肺ガン検診を行う被検体の胸部の幅１８０６の入力があったか否かを確認する。肺ガン検診を行う被検体の胸部の幅１８０６の入力がない場合には処理を終了する。
【０１００】
一方、胸部の幅の入力があった場合には、ステップＳ１５０５に進み、胸部の幅が２９ｃｍ以下であるか否かを確認する。胸部の幅が２９ｃｍ以下であった場合には、ステップＳ１５０７に進み、ステップＳ１５０３で読み出された管電流のテーブルのうち、胸部の幅が２９ｃｍ以下として保存されているもの（以下、これをＳｍａｌｌテーブル（ｍＡ）と称す）を選択し、ステップＳ１５１０で読み出す。読み出されたＳｍａｌｌテーブル（ｍＡ）はステップＳ１５１１で被検体体軸方向の長さに変換される。
【０１０１】
一方、ステップＳ１５０５で胸部の幅が２９ｃｍ以下でなかった場合には、ステップＳ１５０６に進み、胸部の幅が３３ｃｍ以下であるか否かを確認する。胸部の幅が３３ｃｍ以下であった場合には、ステップＳ１５０８に進み、ステップＳ１５０３で読み出された管電流のテーブルのうち、胸部の幅が２９ｃｍより大きく、３３ｃｍ以下のもの（以下、これをＭｅｄｉｕｍテーブル（ｍＡ）と称す）を選択し、ステップＳ１５１０で読み出す。読み出されたＭｅｄｉｕｍテーブル（ｍＡ）はステップＳ１５１１で被検体体軸方向の長さに変換される。
【０１０２】
一方、ステップＳ１５０６で胸部の幅が３３ｃｍ以下でなかった場合には、ステップＳ１５０９に進み、ステップＳ１５０３で読み出された管電流のテーブルのうち、胸部の幅が３３ｃｍより大きい（以下、これをＬａｒｇｅファイル（ｍＡ）と称す）を選択し、ステップＳ１５１０で読み出す。読み出されたＬａｒｇｅファイル（ｍＡ）はステップＳ１５１１で被検体体軸方向の長さに変換される。
【０１０３】
これにより、オートｍＡ機能を用いたときと同等の効果が得られ、第１の実施形態と同様、肺ガン検診を行う被検体の被曝線量の低減を実現することができる。
【０１０４】
【発明の効果】
以上説明したように、本発明によれば、肺ガン検診などの集団検診においてＳｃｏｕｔ機能が使用できない場合でも、被検体の被曝線量を低減することが可能となる。
【図面の簡単な説明】
【図１】従来のＸ線ＣＴシステムにおけるオートｍＡ機能の機能ブロック図である。
【図２】従来のＸ線ＣＴシステムにおけるｍＡ算出部により算出された各位置毎の検査時の管電流を示す図である。
【図３】一般的なＸ線ＣＴシステムのＳｃｏｕｔ機能を説明するための図である。
【図４】一般的なＸ線ＣＴシステムのＳｃｏｕｔ機能を説明するための図である。
【図５】一般的なＸ線ＣＴシステムにおいて算出された投影下面積を示す図である。
【図６】一般的なＸ線ＣＴシステムにおいて算出された投影下中央面積を示す図である。
【図７】一般的なＸ線ＣＴシステムにおいて実験的に求められた投影下面積とＩｍａｇｅ  ＳＤとの関係を示す図である。
【図８】一般的なＸ線ＣＴシステムにおいて実験的に求められた長軸・短軸比とＳＤ  ｒａｔｉｏとの関係を示す図である。
【図９】本発明の第１の実施形態にかかるＸ線ＣＴシステムのシステム構成図である。
【図１０】本発明の第１の実施形態にかかるＸ線ＣＴシステムにおける機能ブロック図である。
【図１１】本発明の第１の実施形態にかかるＸ線ＣＴシステムにおける管電流算出部の機能をさらに詳細に示した図である。
【図１２】本発明の第１の実施形態にかかるＸ線ＣＴシステムにおけるＴａｒｇｅｔ  ＳＤの一覧表を示す図である。
【図１３】本発明の第１の実施形態にかかるＸ線ＣＴシステムにおけるＳｃｏｕｔ結果選択・読み出し部の処理を示すフローチャートである。
【図１４】本発明の第２の実施形態にかかるＸ線ＣＴシステムにおける機能ブロック図である。
【図１５】本発明の第２の実施形態にかかるＸ線ＣＴシステムにおける管電流算出結果選択・読み出し部の処理を示すフローチャートである。
【図１６】一般的なＸ線ＣＴシステムにおいてオートｍＡ機能により被検体胸部のＺ軸方向の最適なＸ線照射量を逆算し、必要な管電流を求めた結果を示す図である。
【図１７】本発明の第１の実施形態にかかるＸ線ＣＴシステムにおけるスカウトスキャン設定画面の一例を示す図である。
【図１８】本発明の第１の実施形態にかかるＸ線ＣＴシステムにおけるスキャン計画画面の一例を示す図である。
【図１】
0004763177.tif 000012
【図２】
0004763177.tif 000013
【図３】
0004763177.tif 000014
【図４】
0004763177.tif 000015
【図５】
0004763177.tif 000016
【図６】
0004763177.tif 000017
【図７】
0004763177.tif 000018
【図８】
0004763177.tif 000019
【図９】
0004763177.tif 000020
【図１０】
0004763177.tif 000021
【図１１】
0004763177.tif 000022
【図１２】
0004763177.tif 000023
【図１３】
0004763177.tif 000024
【図１４】
0004763177.tif 000025
【図１５】
0004763177.tif 000026
【図１６】
0004763177.tif 000027
【図１７】
0004763177.tif 000028
【図１８】
0004763177.tif 000029